(57)【特許請求の範囲】
【請求項１】
少なくとも前針床と後針床を備え、前後の針床間で編目の目移しが可能な横編機を用いて、編地の一部にリブ風編地部を編成する編地の編成方法において、
前後一方の針床に係止される対象編目列を、ｎ個の編目からなるユニットが編目ｍ個分の間隔を空けて複数並ぶ第一編目列と、前記第一編目列以外の編目からなる第二編目列とに分け、前記第一編目列のウエール方向に続く新規な第一編目列を編成する工程Ａと、
前記第二編目列を他方の針床の空針に移動させる工程Ｂと、
前記他方の針床に係止される前記第二編目列のウエール方向に続く新規な第二編目列を編成する工程Ｃと、
前記新規な第二編目列を前記一方の針床の空針に移動させ、前記新規な第一編目列と前記新規な第二編目列とを、ｎ×ｍのリブ組織状に並べる工程Ｄと、
を繰り返し、前記新規な第一編目列と前記新規な第二編目列とで構成される前記リブ風編地部を編成する編地の編成方法。
但し、ｎ，ｍは任意の正の自然数である。
【請求項２】
前記リブ風編地部として前記前針床と前記後針床に筒状に係止されるリブ風編地部を編成する際、
前記前針床を前記一方の針床と見做す前記工程Ａを行なうと共に、前記後針床を前記一方の針床と見做す前記工程Ａを行なった後、
前記前針床を前記一方の針床と見做す前記工程Ｂ〜Ｄを行なうと共に、前記後針床を前記一方の針床と見做す前記工程Ｂ〜Ｄを行なうことを繰り返す請求項１に記載の編地の編成方法。
【請求項３】
前記新規な第一編目列と前記新規な第二編目列を編成する際、弾性糸を添糸とするプレーティング編成を行なう請求項１または請求項２に記載の編地の編成方法。
【請求項４】
前記リブ風編地部を編成する前、または前記リブ風編地部を編成した後、
前記一方の針床に係止される編目列である終端編目列を前記他方の針床に移動させる工程Ｗと、
前記他方の針床に移動させた前記終端編目列を、ｐ個の編目からなるユニットが編目ｑ個分の間隔を空けて複数並ぶ第三編目列と、前記第三編目列以外の編目からなる第四編目列に分け、前記第三編目列のウエール方向に続く第一の裏目編目列を編成する工程Ｘと、
前記第四編目列のウエール方向に続く第二の裏目編目列を編成する工程Ｙと、
前記第一の裏目編目列と前記第二の裏目編目列を、両裏目編目列の編幅方向の並びを変化させることなく、前記一方の針床に移動させる工程Ｚと、を行う請求項１〜請求項３のいずれか１項に記載の編地の編成方法。
但し、ｐ，ｑは任意の正の自然数である。
【発明の詳細な説明】
【技術分野】
【０００１】
本発明は、リブ風編地部を編成することができる編地の編成方法に関する。
【背景技術】
【０００２】
従来からセーターの裾や袖口、衿を、表目と裏目とで構成されるリブ編地部とすることが行なわれている。リブ編地部は、厚みが有って確りとしており、しかも伸縮性を有する。しかし、リブ編地部を身頃と同じ編糸で編成する場合、当該編糸が細い編糸であると、リブ編地部に十分な厚みや強度を持たせることができない虞がある。その対策の一つとして、リブ編地部を編成する際、編糸の本数を増やすことが行なわれている。しかし、適正番手の編糸やそれよりも太い編糸でリブ編地部以外の部分を編成している場合、リブ編地部を編成するときに編糸の本数を増やすことが難しい。
【０００３】
上記課題を解決する手段として、例えば特許文献１のリブ風編地の編成方法が提案されている。特許文献１のリブ風編地の編成方法では、前針床に係止される第一編地部に対してニットと割増やしを組み合わせて新規な第一編地部を編成することと、後針床に係止される第二編地部に対してニットと割増やしを組み合わせて新規な第二編地部を編成することと、を交互に行なっている。このような編成を行なうことで、第一編地部と第二編地部とが厚み方向に接合され、かつ特許文献１の図２に示すリブ組織のような見た目の編地が編成される。
【先行技術文献】
【特許文献】
【０００４】
【特許文献１】特開２０１４−２２７６１１号公報
【発明の概要】
【発明が解決しようとする課題】
【０００５】
特許文献１とは別の手法でリブ風組織を編成する編地の編成方法が求められている。特許文献１のリブ風編地の編成方法では編成することが難しいデザインの編地があるからである。
【０００６】
本発明は、上記事情に鑑みてなされたものであり、その目的の一つは、先行技術とは異なる手法でリブ風編地部を編成できる新規な編地の編成方法を提供することにある。
【課題を解決するための手段】
【０００７】
本発明の編地の編成方法は、少なくとも前針床と後針床を備え、前後の針床間で編目の目移しが可能な横編機を用いて、編地の一部にリブ風編地部を編成する編地の編成方法であって、以下の工程Ａ〜Ｄを繰り返す。
［工程Ａ］…前後一方の針床に係止される対象編目列を、ｎ個の編目からなるユニットが編目ｍ個分の間隔を空けて複数並ぶ第一編目列と、前記第一編目列以外の編目からなる第二編目列とに分け、前記第一編目列のウエール方向に続く新規な第一編目列を編成する。但し、ｎ，ｍは任意の正の自然数である。
［工程Ｂ］…前記第二編目列を他方の針床の空針に移動させる。
［工程Ｃ］…前記他方の針床に係止される前記第二編目列のウエール方向に続く新規な第二編目列を編成する。
［工程Ｄ］…前記新規な第二編目列を前記一方の針床の空針に移動させ、前記新規な第一編目列と前記新規な第二編目列とを、ｎ×ｍのリブ組織状に並べる。
上記工程Ａ〜Ｄを繰り返すことで、前記新規な第一編目列と前記新規な第二編目列とで構成される前記リブ風編地部を編成する。
【０００８】
上記自然数ｎ，ｍは、１〜３程度とすることが好ましい。第一編地部と第二編地部の配置は、例えば、ｎ＝１、ｍ＝１であれば下記［１］に示す配置、ｎ＝２、ｍ＝１であれば下記［２］に示す配置、ｎ＝２、ｍ＝２であれば下記［３］に示す配置となる。下記［１］〜［３］における、○マークは第一編目列の編目、×マークは第二編目列の編目を示す。もちろん、ｎとｍの組み合わせは、上記例示に限定されるわけではない。
［１］代表的な配置は、○×○×○×○×…である。ここで、第一編目列の編目が編幅方向の端部にある必要はないので、例えば、×○×○×○×…や、××○×○×○×…といった配置としても良い。第一編目列の編目が編幅方向の端部にある必要がない点は、下記の組み合わせでも同様である。
［２］代表的な配置は、○○×○○×…である。その他、×○○×○○×…といった配置としても良い。
［３］代表的な配置は、○○××○○××…である。その他、××○○××○○××…といった配置としても良い。
【０００９】
ここで、上記編地の編成方法において、工程Ｄの後に工程Ａを行なう際、工程Ｄで一方の針床に係止された新規な第一編目列と新規な第二編目列とを合わせた編目列を対象編目列とし、工程Ａを行なう。
【００１０】
本発明の編地の編成方法の一形態として、前記リブ風編地部として前記前針床と前記後針床に筒状に係止されるリブ風編地部を編成する形態を挙げることができる。その筒状のリブ風編地部を編成する際、前記前針床を前記一方の針床と見做す前記工程Ａを行なうと共に、前記後針床を前記一方の針床と見做す前記工程Ａを行なった後、前記前針床を前記一方の針床と見做す前記工程Ｂ〜Ｄを行なうと共に、前記後針床を前記一方の針床と見做す前記工程Ｂ〜Ｄを行なうことを繰り返す。
【００１１】
上記編成の具体例として、前針床側の工程Ａ→後針床側の工程Ａ→前針床側の工程Ｂ〜Ｄ→後針床側の工程Ｂ〜Ｄ→…を繰り返すことが挙げられる。もちろん、後針床側の工程Ａ→前針床側の工程Ａ→後針床側の工程Ｂ〜Ｄ→前針床側の工程Ｂ〜Ｄ→…を繰り返しても良い。
【００１２】
本発明の編地の編成方法の一形態として、前記新規な第一編目列と前記新規な第二編目列を編成する際、弾性糸を添糸とするプレーティング編成を行なう形態を挙げることができる。
【００１３】
ここで、プレーティング編成とは、主糸と添糸を横編機の編針に給糸して編成を行なう編成手法のことである（例えば、国際公開第２００８／１３９７１０号、特許第３８９９２６９号公報を参照）。
【００１４】
本発明の編地の編成方法の一形態として、前記リブ風編地部を編成する前、または前記リブ風編地部を編成した後、以下の工程Ｗ〜Ｚを行なう形態を挙げることができる。
［工程Ｗ］…前記一方の針床に係止される編目列である終端編目列を前記他方の針床に移動させる。
［工程Ｘ］…前記他方の針床に移動させた前記終端編目列を、ｐ個の編目からなるユニットが編目ｑ個分の間隔を空けて複数並ぶ第三編目列と、前記第三編目列以外の編目からなる第四編目列に分け、前記第三編目列のウエール方向に続く第一の裏目編目列を編成する。但し、ｐ，ｑは任意の正の自然数である。
［工程Ｙ］…前記第四編目列のウエール方向に続く第二の裏目編目列を編成する。
［工程Ｚ］…前記第一の裏目編目列と前記第二の裏目編目列を、両裏目編目列の編幅方向の並びを変化させることなく、前記一方の針床に移動させる。
ここで、編地の一部を構成するグランド編地部を編成した後、そのグランド編地部のウエール方向に連続してリブ風編地部を編成する場合、グランド編地部のウエール方向端部の編目列が、上記工程Ｗの終端編目列となる。また、リブ風編地部を編成した後、そのリブ風編地部のウエール方向に連続してグランド編地部を編成する場合、リブ風編地部のウエール方向端部の編目列が、上記工程Ｗの終端編目列となる。
【００１５】
上記自然数ｐ，ｑは、１〜３程度とすることが好ましい。第三編目列と第四編目列の分け方は、第一編目列と第二編目列の分け方と同様の考え方に基づいて行なえば良い。例えば、第三編目列の編目を○マーク、第四編目列の編目を×マークとしたとき、ｐ＝１、ｑ＝１なら、例えば○×○×○×…といった配置とすることが挙げられる。
【発明の効果】
【００１６】
本発明の編地の編成方法によれば、後述する図３のＳ４に示すように、工程Ａで編成した表目からなる新規な第一編目列１１と、工程Ｃで編成した裏目からなる新規な第二編目列２１と、が厚み方向に重なる。さらに、新規な第一編目列１１のシンカーループ１１Ｙと新規な第二編目列２１のシンカーループ２１Ｙとが絡み合い、新規な第一編目列１１と新規な第二編目列２１とが接合される。表目からなる新規な第一編目列１１と裏目からなる新規な第二編目列２１とが厚み方向に重なることで、リブ組織のように見えるリブ風編地部が形成され、そのリブ風編地部は、厚みのある確りとしたものとなる。ここで、『表目』とは、一方の針床側から見たときに奥から手前に旧編目から引き出される編目のことであり、『裏目』とは、一方の針床側から見て手前から奥に旧編目から引き出される編目のことである。
【００１７】
前針床を一方の針床と見做す工程Ａ〜Ｄを行なうことと、後針床を一方の針床と見做す工程Ａ〜Ｄを行なうことと、を交互に繰り返すことで、筒状に編成されたリブ風編地部を編成することができる。
【００１８】
添糸として弾性糸を用いたプレーティング編成によってリブ風編地部に弾性糸を編み込むことで、リブ風編地部に強い伸縮性を持たせることができる。また、リブ組織部に弾性糸を編み込むことで、厚みのある確りしたリブ風編地部となる。
【００１９】
グランド編地部と、グランド編地部のウエール方向に連続してリブ風編地部を編成する際、リブ風編地部の編成前や後に工程Ｗ〜Ｚを行なうことで、グランド編地部とリブ風編地部との境界部分を際立たせ、リブ風編地部を目立たせることができる。
【図面の簡単な説明】
【００２０】
【図１】実施形態１のセーターの概略構成図である。
【図２】図１の点線で囲った部分の拡大写真を示す図である。
【図３】実施形態１のセーターの衿の編成に係る編成工程図である。
【図４】実施形態１のセーターの衿ぐりの編成に係る編成工程図である。
【発明を実施するための形態】
【００２１】
＜実施形態１＞
本実施形態１では、４枚ベッド横編機を用いてセットインタイプのセーター１００を編成する例を図１〜４に基づいて説明する。なお、使用する横編機は２枚ベッド横編機であっても構わない。
【００２２】
図１に示すセーター１００（筒状編地）は、身頃５０と、袖（左袖６１・右袖６２）と、を有する。身頃５０は、前身頃５１と後身頃５２とが筒状に繋がることで形成される。その身頃５０のウエール方向終端部には、前身頃５１側が概略Ｕ字状になった衿ぐり７０が形成されており、その衿ぐり７０には筒状の衿８０が設けられている。
【００２３】
本例のセーター１００では、衿８０、袖口６０、裾９０が、本発明の編地の編成方法によって編成されたリブ風編地部となっている。図１の点線で囲った部分の拡大写真である図２に示すように、衿８０は、表目と裏目とが編幅方向に交互に並ぶリブ風に編成されている。また、写真で示さないが、袖口６０、裾９０もリブ風に編成されている。
【００２４】
リブ風の衿（リブ風編地部）８０の具体的な編成手順を図３の編成工程図に基づいて説明する。図３では、衿８０の前側の編成についてのみ説明を行なう。図中の「Ｓ＋数字」は編成工程の番号を、ＦＤは下部前針床を、ＦＵは上部前針床を、ＢＤは下部後針床を、ＢＵは上部後針床を示す。ＢＤ，ＢＵは、ＦＤ，ＦＵに対して左右にラッキング可能で、前後の針床間で編目の目移しが可能である。各編成工程で編成動作に関わる部分は太線で示すと共に、当該工程で新たに編成された編目は塗り潰して示す。図中に示す矢印は、編目の移動方向を示す。
【００２５】
Ｓ０には、ＦＤの編針Ａ〜Ｐに前身頃５１の編目が係止され、ＢＤの編針Ａ〜Ｐに後身頃５２の編目が係止された状態が示されている。これらの編目は、衿ぐり７０（図１）を形成する編目である。このＳ０の状態から本発明の編地の編成方法を用いて１×１のリブ風の衿８０（図１）を編成する。
【００２６】
Ｓ１では、ＦＤ（一方の針床）に係止される前身頃５１を構成する編目列（Ｓ０の対象編目列１０）を、便宜上、ｎ個の編目からなるユニットが編目ｍ個分の間隔を空けて複数並ぶ第一編目列１と、第一編目列１以外の編目からなる第二編目列２とに分ける（工程Ａの一部）。本例では、ｎ＝１、ｍ＝１とした１×１の並びに第一編目列１と第二編目列２を分ける。そして、ＦＤの編針Ｂ，Ｄ，Ｆ，Ｈ，Ｊ，Ｌ，Ｎ，Ｐに係止される第二編目列２はそのままで、ＦＤの編針Ａ，Ｃ，Ｅ，Ｇ，Ｉ，Ｋ，Ｍ，Ｏに係止される第一編目列１のウエール方向に続く新規な第一編目列１１を編成する（工程Ａの残部）。
【００２７】
ここで、ｎ＝１〜３、ｍ＝１〜３の範囲で適宜変更することができる。例えば１×２、２×１、２×２の並びに第一編目列１と第二編目列２とを分けても構わない。そうすることで、１×２、２×１、２×２…のリブ風の衿８０を編成することができる。
【００２８】
Ｓ２では、ＦＤの編針Ｂ，Ｄ，Ｆ，Ｈ，Ｊ，Ｌ，Ｎ，Ｐに係止される第二編目列２の編目を、対向するＢＵの編針Ｂ，Ｄ，Ｆ，Ｈ，Ｊ，Ｌ，Ｎ，Ｐに移動させる（工程Ｂ）。ここで、Ｓ１に示すように、新規な第一編目列１１における隣接する編目同士を繋ぐシンカーループ１１Ｙは、ＦＤ側から見て第二編目列２の編目の裏側を横切っている。そのため、Ｓ２の第二編目列２の移動によって、新規な第一編目列１１のシンカーループ１１Ｙは、第二編目列２の編目に引かれて、ＦＤとＢＵとの間を渡る。
【００２９】
Ｓ３では、ＢＵの編針Ｂ，Ｄ，Ｆ，Ｈ，Ｊ，Ｌ，Ｎ，Ｐに係止される第二編目列２のウエール方向に続く新規な第二編目列２１を編成する（工程Ｃ）。このＳ３によって、新規な第二編目列２１における隣接する編目同士を繋ぐシンカーループ２１Ｙが、新規な第一編目列１１におけるシンカーループ１１Ｙに交差する。
【００３０】
Ｓ４では、Ｓ３で編成した新規な第二編目列２１の編目を、ＦＤの編針Ｂ，Ｄ，Ｆ，Ｈ，Ｊ，Ｌ，Ｎ，Ｐに移動させる（工程Ｄ）。その際、新規な第一編目列１１と新規な第二編目列２１とがｎ×ｍのリブ組織状に並ぶようにする。つまり、Ｓ１における第一編目列１と第二編目列２の並びと同じ並びとなるように、新規な第一編目列１１と新規な第二編目列２１とを並べる。
【００３１】
Ｓ４の後、さらに衿８０の前側を編成する場合、ｋ回目(ｋ＝２以上)のＳ１を行なう際、ｋ−１回目のＳ４でＦＤに係止される編目列１１，２１を対象編目列１０と規定し、ｋ回目のＳ１を行なう。また、ｋ回目のＳ１で対象編目列１０を第一編目列１と第二編目列２とに分ける際、１回目のＳ１と同じ分け方をする。そうすることで、衿８０の外側から見たときに、表目からなる新規な第一編目列１１と、裏目からなる新規な第二編目列２１と、が交互に並んだ１×１のリブ組織状の衿８０（図１，２）を編成することができる。
【００３２】
ここで、衿８０の前側と後側の両方をリブ風編地部とする場合、ＦＤを一方の針床と見做す工程Ａ（Ｓ１）を行なった後、ＢＤを一方の針床と見做す工程Ａを行なう。そして、ＦＤを一方の針床と見做す工程Ｂ〜Ｄ（Ｓ２〜Ｓ４）を行なった後、ＢＤを一方の針床と見做す工程Ｂ〜Ｄを行なう。以降、ＦＤを一方の針床と見做す工程Ａ、ＢＤを一方の針床と見做す工程Ａ、ＦＤを一方の針床と見做す工程Ｂ〜Ｄ、およびＢＤを一方の針床と見做す工程Ｂ〜Ｄを繰り返す。
【００３３】
上記リブ風の衿８０では、Ｓ４に示すように新規な第一編目列１１と新規な第二編目列２１とが厚み方向に重なった状態になり、しかもシンカーループ１１Ｙとシンカーループ２１Ｙとが絡むことで両編目列１１，２１が接合され、一体化されている。そのため、確りとした厚みのある衿８０となる。また、シンカーループ１１Ｙ，２１Ｙによって、衿８０の伸縮性が天竺組織よりも高くなる。ここで、第一編目列１と第二編目列２を編成する際、添糸として弾性糸を用いたプレーティング編成を行なうことで、衿８０の伸縮性を向上させることができる。弾性糸の種類を変化させることで、衿８０の伸縮性を変化させることができる。なお、弾性糸は、セーター１００の編成に用いられる通常の編糸よりも細いため、プレーティング編成を行なっても編針のフックから編糸が溢れることがない。
【００３４】
図３のＳ２の後やＳ３の後にインレイ編成を行なうことで、より一層、衿８０に厚みを持たせることができる。インレイ編成とは、例えば特開２００７−２７７７３８号公報に記載のように、前後の針床に編目を振り分けて、その振り分けられた編目の間にインレイ線材を挟み込む編成のことである。
【００３５】
＜変形例＞
図１に示す衿８０を編成する前に、衿ぐり７０の編成を工夫することで、図２の写真に示すように衿８０を目立たせることができる。その編成手順を図４の編成工程図に基づいて説明する。図４の見方は図３と同様である。
【００３６】
図４のＴ０には、ＦＤに前身頃５１（グランド編地部）のウエール方向終端の編目列である終端編目列３が係止され、ＢＤに後身頃５２の終端編目列が係止された状態が示されている。この状態から、Ｔ１では、ＦＤに係止される終端編目列３をＢＵに移動させる（工程Ｗ）。
【００３７】
Ｔ２では、終端編目列３を、ｐ個（＝１〜３個）の編目からなるユニットが編目ｑ個（＝１〜３個）分の間隔を空けて複数並ぶ第三編目列３３と、第三編目列３３以外の編目からなる第四編目列３４に分け、第三編目列３３のウエール方向に続く第一の裏目編目列４１を編成する（工程Ｘ）。終端編目列３の分け方は、リブ風編地部（衿８０）を編成するときの対象編目列１０（図３）の分け方と同じとしても良いし、異なっていても良い。終端編目列３の分け方を対象編目列１０の分け方と同じとすると、前身頃５１と衿８０の境界部分の見栄えが良くなる。本例では、ＢＵの編針Ａ，Ｃ，Ｅ，Ｇ，Ｉ，Ｋ，Ｍ，Ｏに係止される編目、即ち終端編目列３の一つ置きの編目からなる第三編目列３３のウエール方向に続く第一の裏目編目列４１を編成する。
【００３８】
Ｔ３では、ＢＵの編針Ｂ，Ｄ，Ｆ，Ｈ，Ｊ，Ｌ，Ｎ，Ｐに係止される編目、即ちＴ２で編目を編成しなかった編目（第四編目列３４）のウエール方向に続く第二の裏目編目列４２を編成する（工程Ｙ）。そして、Ｔ４では、第一の裏目編目列４１と第二の裏目編目列４２を、両裏目編目列４１，４２の編幅方向の並びを変化させることなく、ＦＤに移動させる（工程Ｚ）。
【００３９】
以上説明した編成によれば、第一の裏目編目列４１（第二の裏目編目列４２）の隣接する編目同士を繋ぐシンカーループが、図２に示すように身頃５０の表側に露出し、ステッチ状の衿ぐり７０が形成される。その結果、衿ぐり７０が強調され、衿８０を目立たせることができる。
【００４０】
前身頃５１に加えて後身頃５２でもステッチ状の衿ぐり７０を形成する場合、図４のＴ１，Ｔ２を行なった後、ＢＵの全ての編目（第一の裏目編目列４１と第四編目列３４の編目）をＦＤに移動させる。次に、後身頃５２の編目をＢＤからＦＵに移動させ（Ｔ１相当）、後身頃５２の一部の編目のウエール方向に連続する第一の裏目編目列を編成し（Ｔ２相当）、そのＦＵの全ての編目をＢＤに移動させる。次に、前身頃５１に関連するＦＤの編目（第一の裏目編目列４１と第四編目列３４の編目）をＢＵに移動させた後、第四編目列３４のウエール方向に第二の裏目編目列４２を編成するＴ３と、ＢＵの全ての編目（裏目編目列４１，４２の編目）をＦＤに移動させるＴ４を行なう。最後に、後身頃５２に関連するＢＤの編目をＦＵに移動させた後、後身頃５２に対して第二の裏目編目列を編成し（Ｔ３相当）、ＦＵの全ての編目をＢＤに移動させる（Ｔ４相当）。
【００４１】
ここで、図４に示す編成は、リブ風編地部を編成した後に行なうこともできる。例えば、図１の裾９０（袖口６０）を図３の編成工程に従ってリブ風編地部とした後、身頃５０（袖６１，６２）を編成する場合、裾９０（袖口６０）のウエール方向終端の編目列を終端編目列３と見做し、図４に示す編成を行なうことが挙げられる。図４に示す編成が終了したら、裏目編目列４１，４２のウエール方向に続けて身頃５０（袖６１，６２）を編成すれば良い。
【００４２】
＜実施形態２＞
実施形態１に示す編地の編成方法を応用すれば、ミラノリブ風の組織やワッフル柄風の組織を編成することもできる。ミラノリブ風の組織を編成する場合、図３のＳ３の後に、ＦＤとＢＵに係止される編目に続けて筒状編成を行なった後、Ｓ４を行なえば良い。また、ワッフル柄風の組織を編成する場合、図３のＳ４の後に、ＦＤに係止される全ての編目に続く編目列を少なくとも一段分編成してから、Ｓ１を行なえば良い。
【００４３】
その他、実施形態１の編地の編成方法を応用し、鹿の子柄風の組織を編成することもできる。例えば、ＦＤ側（ＢＤ側）のｋ回目のＳ１で対象編目列１０を第一編目列１と第二編目列２とに分ける際、ＦＤ側（ＢＤ側）のｋ−１回目のＳ１と逆の分け方をすると良い。
【符号の説明】
【００４４】
ＦＤ  下部前針床  ＦＵ  上部前針床
ＢＤ  下部後針床  ＢＵ  上部後針床
１０  対象編目列
１  第一編目列  １１  新規な第一編目列  １１Ｙ  シンカーループ
２  第二編目列  ２１  新規な第二編目列  ２１Ｙ  シンカーループ
３  終端編目列  ３３  第三編目列  ３４  第四編目列
４１  第一の裏目編目列  ４２  第二の裏目編目列
１００  セーター（筒状編地）
５０  身頃  ５１  前身頃（グランド編地部）  ５２  後身頃
６０  袖口（リブ風編地部）  ６１  左袖  ６２  右袖
７０  衿ぐり
８０  衿（リブ風編地部）
９０  裾（リブ風編地部）
【図１】
0006526554.tif 000002
【図２】
0006526554.tif 000003
【図３】
0006526554.tif 000004
【図４】
0006526554.tif 000005